(57)【要約】  ユーザインタフェース(28)は、ディスプレイ(40)上でユーザに表示されている複数のアイコンを、１つ又はそれより多い、対応する入力コントロール(30)とマッチさせるために色を用いる。ポータブル電子機器(10)の機能を表すテキスト又はグラフィックアイコンは色分けされ、対応する入力コントロール(30)は同色に照明される。複数のアイコンを関連付けられた１つ以上のコントロール(30)とを、色を用いてマッチさせることで、本発明はユーザにどのコントロール(30)が特定のアイコンに関連付けされているかを直感的に通知する。
2009527846.tif 000002
【特許請求の範囲】
【請求項１】
ポータブル電子機器(10)においてユーザに入力を促すために実施される方法であって、
アイコンを所定の色でディスプレイ(40)に表示するステップと、
前記アイコンに関連付けられた入力コントロール(30)を前記所定の色で照明して、前記照明されたコントロール(30)を前記アイコンとマッチさせるステップとを有することを特徴とする方法。
【請求項２】
前記照明されたコントロール(30)に照明効果を適用して、必須ユーザ入力が必要であることを通知するステップをさらに有することを特徴とする請求項１記載の方法。
【請求項３】
前記照明されたコントロール(30)に照明効果を適用するステップが、前記照明されたコントロール(30)を断続的に点滅させるステップを含むことを特徴とする請求項２記載の方法。
【請求項４】
前記照明されたコントロール(30)に照明効果を適用するステップが、前記照明の特性を変化させるステップを含むことを特徴とする請求項２記載の方法。
【請求項５】
前記照明の特性を変化させるステップが、前記照明の色および強度の少なくとも１つを変化させるステップを含むことを特徴とする請求項４記載の方法。
【請求項６】
入力を受け付ける状態にない、あるいは関係のない複数のコントロール(30)の照明を消灯するステップをさらに有することを特徴とする請求項２記載の方法。
【請求項７】
前記ディスプレイ(40)上の前記アイコンを点滅させて、必須ユーザ入力が必要であることを通知するステップをさらに有することを特徴とする請求項１記載の方法。
【請求項８】
前記ディスプレイ(40)上の前記アイコンの外観を変更して、必須ユーザ入力が必要であることを通知するステップをさらに有することを特徴とする請求項１記載の方法。
【請求項９】
ユーザによる構成の選択に応じて前記所定の色を設定するステップをさらに有することを特徴とする請求項１記載の方法。
【請求項１０】
前記入力コントロール(30)を照明するステップが、前記アイコンに関連付けられた主コントロールおよび代替コントロールを、前記所定の色で照明するステップを含むことを特徴とする請求項１記載の方法。
【請求項１１】
前記入力コントロール(30)が、キー、ボタン、ジョイスティック、ダイヤル、サムホイールおよびタッチパッドの１つを有することを特徴とする請求項１記載の方法。
【請求項１２】
２つ又はそれより多いアイコンを異なる色で表示するステップと、２つ又はそれより多い入力コントロール(30)を個別の色で照明して、当該入力コントロール(30)を対応するアイコンとマッチさせるステップとをさらに有することを特徴とする請求項１記載の方法。
【請求項１３】
電子機器(10)であって、
ディスプレイ(40)と、
ユーザ入力を受信するための、少なくとも１つの照明された入力コントロール(30)と、
前記ディスプレイ(40)上のアイコン表示を制御するように構成されたプロセッサ(12)とを有し、
前記プロセッサ(12)は、色分けされたアイコンを前記ディスプレイ(40)に表示して、前記色分けされたアイコンと、対応する複数の照明された入力コントロール(30)とを関連付けることを特徴とする電子機器(10)。
【請求項１４】
前記プロセッサ(12)が、必須ユーザ入力が要求されていることを通知するため、１つ又はそれより多い照明された入力コントロール(30)に照明効果を適用するように構成されることを特徴とする請求項１３記載の電子機器(10)。
【請求項１５】
前記プロセッサ(12)が、必須ユーザ入力が要求されていることを通知するため、照明されたコントロール(30)を断続的に点滅させるように構成されることを特徴とする請求項１４記載の電子機器(10)。
【請求項１６】
前記プロセッサ(12)が、必須ユーザ入力が要求されていることを通知するため、１つ又はそれより多い照明された入力コントロール(30)に対する照明の特性を変化させるように構成されることを特徴とする請求項１４記載の電子機器(10)。
【請求項１７】
前記プロセッサ(12)が、必須ユーザ入力が要求されていることを通知するため、１つ又はそれより多い照明された入力コントロール(30)に対する照明の色および強度の少なくとも１つを変化させることを特徴とする請求項１６記載の電子機器(10)。
【請求項１８】
前記プロセッサ(12)が、入力を受け付ける状態にない、あるいは関係のない複数のコントロール(30)の照明を消灯するように構成されることを特徴とする請求項１４記載の電子機器(10)。
【請求項１９】
前記プロセッサ(12)が、必須ユーザ入力が要求されていることを通知するため、前記ディスプレイ(40)上のアイコンを点滅させるように構成されることを特徴とする請求項１３記載の電子機器(10)。
【請求項２０】
前記プロセッサ(12)が、必須ユーザ入力が要求されていることを通知するため、前記ディスプレイ(40)上のアイコンの外観を変更するように構成されることを特徴とする請求項１３記載の電子機器(10)。
【請求項２１】
前記プロセッサ(12)が、ユーザが選択した色で前記アイコンを表示するように構成されることを特徴とする請求項１３記載の電子機器(10)。
【請求項２２】
前記アイコンに関連付けされた主コントロールおよび代替コントロールの両方が同一色で照明されることを特徴とする請求項１３記載の電子機器(10)。
【請求項２３】
前記入力コントロール(30)が、キー、ボタン、ジョイスティック、ダイヤル、サムホイールおよびタッチパッドの１つを有することを特徴とする請求項１３記載の電子機器(10)。
【請求項２４】
前記プロセッサ(12)が、２つ又はそれより多いアイコンを異なる色で表示するとともに、２つ又はそれより多い入力コントロール(30)を個別の色で照明して、当該入力コントロール(30)を対応するアイコンとマッチさせるように構成されることを特徴とする請求項１３記載の電子機器(10)。
【発明の詳細な説明】
【背景技術】
【０００１】
本発明は概してポータブルハンドヘルド電子機器用のユーザインタフェースに関し、特にはプログラマブルソフトキーを備えるユーザインタフェースに関する。
【０００２】
携帯電話機や他のポータブル電子機器のためのエルゴノミックかつ消費者フレンドリなコントロールのデザインは、それら機器の多機能化や、コントロールが利用できる空間の制限により、ますます手腕が問われるようになってきている。例えば、現在では、デジタルカメラとしても、携帯情報端末(PDA)としても、音楽再生機器としても機能する携帯電話機は珍しくない。同時に、消費者はより小さな機器を求めている。携帯電話機で利用可能な機能の全てに専用のコントロールを設けるのは非現実的かつ望ましくない。ボタン及び他のコントロールの増加は、機器のコスト、重量及びサイズを大きくする。さらに、おびただしい数のコントロールを備える機器は、多くのユーザを威嚇及び／又は混乱させうる。
【０００３】
ソフトキーは携帯電話機及び他のポータブル電子機器で、ユーザインタフェースに必要なコントロールの数を削減するために一般的に用いられている。ソフトキーは、表示に隣接して配置されるボタンであり、隣に現在表示されている機能を実行する。ソフトキーの機能は状況に依存する。ソフトキーはその時点の状況(context)に応じて多くの異なる機能を実行することができるので、ソフトキーの使用により通常はユーザインタフェース内のボタン数が減少する。
【０００４】
ソフトキーは用途が広いが、常に直感的とは限らず、また一部のユーザをおびえさせるかもしれない。その結果、ユーザはソフトキーを備えた移動体端末を買い控えたり、自身の移動体端末上のソフトキー機能を無視したりするかもしれない。
【発明の開示】
【０００５】
ポータブル電子機器は、個々のコントロールとアイコンとの制御対応を識別させるため、オンスクリーンアイコンと対応する入力コントロールとを色合わせ(color-match)するように構成される。例えば、１つ又は複数の実施形態において、様々なアイコンが様々な所定の色で表示又は強調表示(highlight)され、どのコントロールがどのアイコンと対をなすかを示すため、対応する複数のコントロールに対してマッチした照明(matching illumination)が用いられる。特定のコントロールとオンスクリーン情報との間の関係をさらに強調するため、点滅させる(flashing)、脈動させる(pulsing)、暗くする(dimming)など、他の照明効果を用いてもよい。例えば、必須のユーザ入力を示すため、１つ又は複数のコントロール用の照明を点滅させてもよい。必須入力などを示すために、さらに、又は代わりに、アイコンを点滅させたり別の方法で操って(manipulate)してもよい。
【発明を実施するための最良の形態】
【０００６】
本発明はポータブル電子機器用のユーザインタフェースに関する。ユーザインタフェースは、非限定的な例として携帯電話機、携帯情報端末、スチル及びビデオカメラ、音楽プレーヤ、ビデオプレーヤ、ゲーム機器、及び録音機器を含む、広範な電気機器における一般的な用途を有する。従って、以下の具体的な実施形態は、特許請求の範囲に記載された発明の範囲を制限するものとして解釈されるべきではない。
【０００７】
図１は、本発明を移動体端末１０に実装した１つの例示的な実施形態に関する機能ブロック図である。移動体端末１０は、例えば、移動体通信ネットワークで用いるための携帯電話機を含んでもよい。移動体端末１０の主要構成要素は、移動体端末１０の全動作を制御するシステムコントローラ１２と、動作に必要とされるプログラム命令及びデータを保存するメモリ１４と、アンテナ１８に接続され、信号を送信及び受信するための送受信機１６と、可聴信号を電気音声信号に変換するためのマイク２０と、電気音声信号を可聴音声に変換するためのスピーカ２２と、ユーザが移動体端末１０と相互動作することを可能にするユーザインタフェース２８とを含む。
【０００８】
ユーザインタフェース２８は、参照数字３０で大まかに示される、ユーザ入力を受信するための１つ又は複数の入力コントロールと、ユーザに見せるために情報を表示するディスプレイ４０と、選択された入力コントロール３０を照らすための、参照数字５０で大まかに示される１つ又は複数の照明要素とを含む。ユーザ入力を受信するための入力コントロール３０には、ハードキー、ソフトキー、プログラマブルキー、ダイヤル、ジョイスティック、ボタン、サムホイール、タッチパッドなど、任意の既知の形式のものを用いることができる。ディスプレイ４０は、液晶ディスプレイ(LCD)のようなカラーディスプレイや、ユーザ入力にも利用可能なタッチスクリーンディスプレイを含んでよい。照明要素５０は例えば、発光ダイオード(LED)を含んでよい。LEDは入力コントロール３０上に配置されても、入力コントロール３０を背後から照らすように用いられてもよい。入力コントロール３０の一部は、以下で詳細に説明するように、独立して制御可能な照明要素５０を有してもよい。
【０００９】
以下に説明する本発明の様々な実施形態において、照明要素５０は、個々の入力コントロール３０とディスプレイ４０上に表示されるアイコンとを関連付けて、ユーザがアイコンと対応する入力コントロール３０とを関連付けるのを支援するために用いられる。テキスト、グラフィック又はそれらの組み合わせを含んでよいアイコンは、ディスプレイ４０上に表示され、ユーザが選択することのできる機能を表す。ユーザによっては、どの入力コントロール３０がどのアイコンと対をなすかについて、見た目から簡単に理解できないかもしれない。
【００１０】
この起こりうる混乱に対処するため、移動体端末１０は（オンスクリーン）アイコンと、対応する入力コントロール３０とを色合わせ(color-match)するように構成される。従って、１つ又は複数の実施形態において、システムコントローラ１２は所定の入力コントロール３０がディスプレイ４０上に表示される所定のアイコンに関連付けされていることをユーザに示唆するような方法で入力コントロール３０の照明を制御する。例えば、入力コントロール３０を、ディスプレイ４０上に表示されている対応するアイコンと一致させるために色を用いてもよい。アイコンはディスプレイ４０上に特定の色で描画され、対応する入力コントロール３０が同じ色の光で照明されてもよい。テキストアイコンや簡単なグラフィックアイコンのような簡単なアイコンは、選択された色で描画されてもよい。複雑な多色アイコンについては、アイコンと対応付けられた入力コントロール３０とをマッチさせるための色を、背景、後光効果、強調、輪郭などに適用することができる。従って、アイコンを所定の色で表示するということは、アイコン−テキスト又はグラフィック−を実際にその色にすることだけでなく、そのアイコンに対して色に基づく何らかの形式の強調を広く適用するということも意味することが一般に理解されよう。
【００１１】
図２は、ユーザインタフェースを強化するために照明をどのように用いることができるかを明らかにする例示的な実施形態を示している。図２〜図５に示す例示的な実施形態のための入力コントロール３０は、１組のソフトキー３２ａ及び３２ｂと、４つのナビゲーションボタン３４ａ〜３４ｄを含むナビゲーションコントロール３４と、英数字キーパッド３６とを有している。ソフトキー３２ａ及び３２ｂはディスプレイ４０の隣に配置されている。ソフトキー３２ａ、３２ｂの機能は、状況又は環境に依存して変化する。ディスプレイ４０は、現在の状況におけるソフトキー３２ａ，３２ｂの（１つ又は複数の）機能を表すアイコンを表示する。図２において、テキストアイコン４２ａ及び４２ｂは、ソフトキー３２ａ，３２ｂによって実行される機能を示すため、ディスプレイ４０の、個々のソフトキー３２ａ，３２ｂのすぐ上に表示されている。
【００１２】
ソフトキーの概念に不慣れなユーザにとっては、ソフトキー３２ａ，３２ｂがアイコン４２ａ，４２ｂに対応することを、見た目から容易には理解できないかもしれない。従って、本発明はアイコン４２ａ，４２ｂを対応するソフトキー３２ａ，３２ｂと関連付けるために色を用いる。図２に示す特定の実施形態において、ソフトキー３２ａ，３２ｂに対応するテキストアイコン４２ａ，４２ｂは、それぞれ青および赤で表示される。対応するソフトキー３２ａ，３２ｂは、ソフトキー３２ａ，３２ｂを同色で照明するための照明要素５２ａ及び５２ｂを含んでいる。照明要素５２ａ，５２ｂはソフトキー４２ａ，４２ｂ上に直接配置されてもよいし、ソフトキー４２ａ、４２ｂを背後から照明してもよい。この例において、”メニュー(MENU)”アイコン４２ａは青で表示され、対応するソフトキー３２ａに対する照明要素５２ａは青く発光する。”コンタクト(CONTACTS)”アイコン４２ｂは赤で表示され、対応するソフトキー３２ｂに対する照明要素５２ｂは赤く発光する。ソフトキー３２ａ，３２ｂをアイコン４２ａ，４２ｂに対応した色を有する光で照明することは、どのソフトキー３２ａ，３２ｂがどのアイコン４２ａ，４２ｂと組になっているかをユーザに示唆する。
【００１３】
図３は、ある１つのアイコンを選択するために１つより多い入力コントロール３０を利用可能な場合の実施形態を示す。図３において、ディスプレイ４０は、ソフトキー３２ａ，３２ｂの隣に、例えばウェブ閲覧アプリケーションにおいて用いることができる”戻る(BACK)”及び”進む(FORWARD)”機能をそれぞれ表すグラフィックアイコン４４ａ，４４ｂを表示している。”戻る”アイコン４４ａは青で描画され、”進む”アイコン４４ｂは赤で描画されている。照明要素５２ａ，５２ｂは同様にそれぞれ青色光および赤色光で照明され、ユーザは”青い”ソフトキー３２ａが”戻る”機能を選択し、”赤い”ソフトキー３２ｂが”進む”機能を選択することを容易に理解することができる。加えて、キーパッド３６の”１”および”３”キーが、それぞれ”戻る”および”進む”機能を選択するための代替入力コントロール３０として機能する。”１”および”３”キーは、ユーザに”１”および”３”キーがそれぞれ”戻る”および”進む”機能を選択するために利用可能であることを示すため、それぞれ照明要素５４ａおよび５４ｂによって照明される。このように、ユーザは、所望の機能を選択するための主コントロールとしてソフトキー３２ａ，３２ｂを用いるか、”１”および”３”キーを代替コントロールとして用いるかの選択肢を与えられる。
【００１４】
本技術分野に属する当業者は、アイコンと入力コントロール３０との色合わせが、ソフトキーをディスプレイ４０に隣接して配置するという要件を除去することを理解するであろう。ある特定の入力コントロール３０をディスプレイ４０上のあるアイコンの色と合致する色で照明することにより、本発明は移動体端末１０上の任意の入力コントロール３０が、直感的に関連する”ソフトキー”として機能することを可能にする。図４に示す実施形態において、ソフトキー３２ａおよび３２ｂは省略され、”１”および”３”キーがソフトキーとして用いられる。そして”１”キーの押下が”戻る”機能４２を選択し、”３”キーの押下が”進む”機能を選択することをユーザに知らせるため、”１”および”３”キーはそれぞれ赤および青に照明される。
【００１５】
図５は、ナビゲーションボタン４４ａ〜４４ｄが、ナビゲーションボタン４４ａ〜４４ｄをディスプレイ４０上の対応するアイコン４６ａ〜４６ｄと関連付けるための照明要素５６ａ〜５６ｄを含んだ別の実施形態を示している。例えば、図５に示すように、ディスプレイ４０は”メッセージ(MESSAGES)”機能４６ａ”コンタクト(CONTACTS)”機能４６ｂ、”カレンダー(CALENDAR)”機能４６ｃおよび”カメラ(CAMERA)”機能４６ｄに対応するアイコンを、それぞれ赤、緑、黄および青で表示することができる。ナビゲーションコントロールボタン３４ａ〜３４ｄはどのナビゲーションボタンがどの機能を選択するために用いられるかをユーザに示すため、同様に赤、緑、黄および青で照明される。具体的には、上ナビゲーションボタン３４ａはユーザにそのボタンが”メッセージ”機能４６ａを選択することを知らせるため赤で照明される。左ナビゲーションボタン４６ｂはユーザにそのボタンが”コンタクト”機能４６ｂを選択することを知らせるため緑で照明される。下ナビゲーションボタン４６ｃはユーザにそのボタンが”カレンダー”機能７２を選択することを知らせるため黄色で照明される。そして、右ナビゲーションボタン４６ｄはユーザにそのボタンが”カメラ”機能４６ｂを選択することを知らせるため青で照明される。図５のディスプレイ４０は、ナビゲーションコントロール３４上のコントロールと全体的な配置が同じになるように様々な機能を表示しているが、ここで説明した色合わせにより、ディスプレイ４０上に表される特定の複数のアイコンと、コントロール３０の選択された１つとを直感的に結びつけるための色合わせを用い続けながら、ディスプレイ４０が様々な機能を任意の配置で表示可能であることを本技術分野に属する当業者は理解するであろう。
【００１６】
色合わせに加え、移動体端末１０は、ユーザに”ＹＥＳ”又は”ＮＯ”の応答を要求するダイアログのような、ユーザによる必須入力が必要な場合に、ユーザの注意を喚起するために照明効果(light effects)を用いるように構成されてもよい。例えば、入力コントロール３０の入力を受け付け可能な状態(active)である１つに対する照明要素５０を断続的に点滅させてもよい。図２に戻って、必須の応答が要求される場合、ソフトキー３２ａ，３２ｂ用の照明要素５２ａ，５２ｂの１つ又は両方を点滅(flash)又は明るさを脈動(pulse)させてもよい。この状況において、入力コントロール３０のうち、入力を受け付ける状態にない(inactive)、もしくは無関係なものに対する照明は、電池の節約および／又は入力コントロールをより直感的にするため、消灯することができる。
【００１７】
さらに、必須入力が要求されていることを示すために、点滅に代えて、あるいは点滅に加えて、他の照明効果を用いることができる。概して、必須入力が要求されていることを示すために、光の任意の特性を変化させることができる。例えば、必須ユーザ入力が要求されている場合、光の色や強度を変化させることができる。必須ユーザ入力が要求されていることを通知するために、さらに音響効果および触覚性の効果を用いることもできる。
【００１８】
入力コントロール３０と対応する機能とをマッチさせるために用いられる色は、製造メーカ又はサービスプロバイダによって予め設定されてもよい。あるいは、入力コントロール３０と対応するアイコンとをマッチさせるための色は、ユーザ設定された複数の色の１つであってもよい。本技術分野で周知であるように、ユーザ設定はオンスクリーンメニューを通じてユーザが設定可能である。さらに、入力コントロール３０の１つ又は複数の色を（例えば常時赤、常時青といったように）固定してもよい。これにより、ある特定のアイコンの表示に用いる色を固定色に選択することにより、その特定のアイコンを、選択した固定色の入力コントロールと視覚的に結びつけることができる。他の実施形態において、アイコンに用いられる色とコントロールに用いられる色の両方を変化させることができるように、入力コントロール３０の１つ又は複数を異なる色で照明してもよい。
【００１９】
図６は、照明要素５０を制御するための例示的な制御構成を示している。入力コントロール３０を照明するための照明要素５０は、有機ＬＥＤ(OLED)、ポリマーＬＥＤ(PLED)などであってよいＬＥＤを含む、任意の既知の１つ以上の光源を有してよい。実際には、照明要素５０は、入力コントロール３０の選択された複数のコントロールのための、独立制御可能な複数のＬＥＤのような、複数の照明技術の混成物を含んでよく、それによって、色合わせ、点滅および他の制御可能な照明効果を、ＬＥＤアレイおよび／又は蛍光又はＥＬ素子のような他の照明要素とともに提供する。照明要素の任意の１つ又は複数は、単色又は多色光源であってよい。例えば、入力コントロール３０の１つ又は複数が異なる色又は所望の色範囲を取ることができるように、それら入力コントロール３０に多色ＬＥＤを用いてもよい。多色ＬＥＤの非限定的な例には、制御ピンに適用される電流の方向に応じて異なる色を表示する、一種のＰＬＥＤのを含む。さらに別のＬＥＤは複数のピンを含み、個々のピンは異なる色のＬＥＤチップを制御する。
【００２０】
非限定的な例示を目的として、図６は、複数のＬＥＤ（５０ａ〜５０ｎ）が存在する、複数の照明要素５０の少なくとも一部を示しており、図６において、照明要素５０は直接、または適切なインタフェース回路５１を通じて、システムコントローラ１２と相互接続(interface)される。そのような回路は、ＬＥＤ５０ａ〜５０ｎの個々をシステムコントローラ１２によって直接制御することを可能にする、簡単なトランジスタベースの駆動回路を含んでもよい。例えば、システムコントローラ１２は、照明制御専用とすることが可能な複数のビットＩ／Ｏ線を有してもよく、そのような線は単純なＯＮ／ＯＦＦ制御または、より洗練された変調／パルス制御と、色選択を提供する。非限定的な代替構成として、インタフェース回路５１は、独立した複数の制御線、シリアル又はパラレルインタフェース（バス構成(bused)又は非バス構成(non-bused)）を提供し、システムコントローラ１２はそれを通じて所望の照明制御を達成する。さらに別の実施形態において、照明要素５０はコントロールの配列（例えばキーパッド）と一体化されてよく、コントロールの配列とシステムコントローラ１２との間のシグナリングにより、コントロールの走査および照明制御を実現してもよい。
【００２１】
これらの、またその他の実装時の選択肢を念頭において、本発明が、複数のアイコンを１つ又は複数の照明されたコントロールとマッチさせるために色を用いることが概して理解されよう。特定の入力コントロール３０と表示されたアイコンとの色合わせは、どのコントロールがどのアイコンと対をなすのかをユーザに直感的に識別させ、それにより移動体端末１０の利用の親しみやすさおよび容易さを高める。加えて、本明細書で説明した色合わせ方法を用いることで、製造メーカはコントロールの配置をより柔軟に行うことが可能になる。入力コントロール３０と（画面）アイコンとを関連付けるための照明の使用はソフトキーに限らず、ハードキー、ボタン、ダイヤル等を含む任意の形式の入力コントロールに適用可能である。
【００２２】
もちろん、本発明は、発明の本質的な特性の範囲内で、かつここで具体的に説明した方法以外の方法によって実施することが可能である。上述の実施形態はあらゆる点において例示として解釈されるべきであり、限定的なものと解釈すべきではない。また、添付の特許請求の範囲の意味及びその等価範囲に含まれるいかなる変更も、特許請求の範囲に包含されることが意図されている。
【図面の簡単な説明】
【００２３】
【図１】例示的な移動体端末のブロック図である。
【図２】例示的な移動体端末の正面図である。
【図３】例示的な移動体端末の正面図である。
【図４】例示的な移動体端末の正面図である。
【図５】例示的な移動体端末の正面図である。
【図６】例示的な照明要素のブロック図である。
【図１】
2009527846.tif 000003
【図２】
2009527846.tif 000004
【図３】
2009527846.tif 000005
【図４】
2009527846.tif 000006
【図５】
2009527846.tif 000007
【図６】
2009527846.tif 000008
【手続補正書】
【提出日】平成20年5月22日(2008.5.22)
【手続補正１】
【補正対象書類名】特許請求の範囲
【補正対象項目名】全文
【補正方法】変更
【補正の内容】
【特許請求の範囲】
【請求項１】
ポータブル電子機器(10)においてユーザに入力を促すために実施される方法であって、
アイコンを所定の色でディスプレイ(40)に表示するステップと、
前記アイコンに関連付けられた主コントロールおよび代替コントロールを前記所定の色で照明して、前記照明された複数の入力コントロールを前記アイコンとマッチさせるステップとを有することを特徴とする方法。
【請求項２】
前記照明された複数の入力コントロールに照明効果を適用して、必須ユーザ入力が必要であることを通知するステップをさらに有することを特徴とする請求項１記載の方法。
【請求項３】
前記照明された複数の入力コントロールに照明効果を適用するステップが、前記照明された複数の入力コントロールを断続的に点滅させるステップを含むことを特徴とする請求項２記載の方法。
【請求項４】
前記照明された複数の入力コントロールに照明効果を適用するステップが、前記照明の特性を変化させるステップを含むことを特徴とする請求項２記載の方法。
【請求項５】
前記照明の特性を変化させるステップが、前記照明の色および強度の少なくとも１つを変化させるステップを含むことを特徴とする請求項４記載の方法。
【請求項６】
入力を受け付ける状態にない、あるいは関係のない複数の入力コントロールの照明を消灯するステップをさらに有することを特徴とする請求項２記載の方法。
【請求項７】
前記ディスプレイ(40)上の前記アイコンを点滅させて、必須ユーザ入力が必要であることを通知するステップをさらに有することを特徴とする請求項１記載の方法。
【請求項８】
前記ディスプレイ(40)上の前記アイコンの外観を変更して、必須ユーザ入力が必要であることを通知するステップをさらに有することを特徴とする請求項１記載の方法。
【請求項９】
ユーザによる構成の選択に応じて前記所定の色を設定するステップをさらに有することを特徴とする請求項１記載の方法。
【請求項１０】
前記照明された複数の入力コントロールの少なくとも１つが、キー、ボタン、ジョイスティック、ダイヤル、サムホイールおよびタッチパッドの１つを有することを特徴とする請求項１記載の方法。
【請求項１１】
２つ又はそれより多いアイコンを異なる色で表示するステップと、２つ又はそれより多い入力コントロールを個別の色で照明して、当該入力コントロールを対応するアイコンとマッチさせるステップとをさらに有することを特徴とする請求項１記載の方法。
【請求項１２】
電子機器(10)であって、
ディスプレイ(40)と、
ユーザ入力の受信に応答して機能を実行するように構成された、照明された主入力コントロールおよび照明された代替入力コントロールと、
前記ディスプレイ(40)上のアイコン表示を制御するとともに、色分けされたアイコンを前記ディスプレイ(40)に表示して、前記色分けされたアイコンと、対応する複数の照明された入力コントロールとを関連付けるように構成されたプロセッサ(12)とを有し、
アイコンに関連付けされた前記主入力コントロールと前記代替入力コントロールの両方が同一色で照明されることを特徴とする電子機器(10)。
【請求項１３】
前記プロセッサ(12)が、必須ユーザ入力が要求されていることを通知するため、１つ又はそれより多い照明された入力コントロールに照明効果を適用するように構成されることを特徴とする請求項１２記載の電子機器(10)。
【請求項１４】
前記プロセッサ(12)が、必須ユーザ入力が要求されていることを通知するため、複数の照明された入力コントロールを断続的に点滅させるように構成されることを特徴とする請求項１３記載の電子機器(10)。
【請求項１５】
前記プロセッサ(12)が、必須ユーザ入力が要求されていることを通知するため、１つ又はそれより多い照明された入力コントロールに対する照明の特性を変化させるように構成されることを特徴とする請求項１３記載の電子機器(10)。
【請求項１６】
前記プロセッサ(12)が、必須ユーザ入力が要求されていることを通知するため、１つ又はそれより多い照明された入力コントロールに対する照明の色および強度の少なくとも１つを変化させることを特徴とする請求項１５記載の電子機器(10)。
【請求項１７】
前記プロセッサ(12)が、入力を受け付ける状態にない、あるいは関係のない複数の入力コントロールの照明を消灯するように構成されることを特徴とする請求項１３記載の電子機器(10)。
【請求項１８】
前記プロセッサ(12)が、必須ユーザ入力が要求されていることを通知するため、前記ディスプレイ(40)上のアイコンを点滅させるように構成されることを特徴とする請求項１２記載の電子機器(10)。
【請求項１９】
前記プロセッサ(12)が、必須ユーザ入力が要求されていることを通知するため、前記ディスプレイ(40)上のアイコンの外観を変更するように構成されることを特徴とする請求項１２記載の電子機器(10)。
【請求項２０】
前記プロセッサ(12)が、ユーザが選択した色で前記アイコンを表示するように構成されることを特徴とする請求項１２記載の電子機器(10)。
【請求項２１】
前記複数の入力コントロールの少なくとも１つが、キー、ボタン、ジョイスティック、ダイヤル、サムホイールおよびタッチパッドの１つを有することを特徴とする請求項１２記載の電子機器(10)。
【請求項２２】
前記プロセッサ(12)が、２つ又はそれより多いアイコンを異なる色で表示するとともに、２つ又はそれより多い入力コントロールを個別の色で照明して、当該入力コントロールを対応するアイコンとマッチさせるように構成されることを特徴とする請求項１２記載の電子機器(10)。
【手続補正書】
【提出日】平成20年10月7日(2008.10.7)
【手続補正１】
【補正対象書類名】特許請求の範囲
【補正対象項目名】全文
【補正方法】変更
【補正の内容】
【特許請求の範囲】
【請求項１】
ポータブル電子機器(10)においてユーザに入力を促すために実施される方法であって、
アイコンを所定の色でディスプレイ(40)に表示するステップと、
前記アイコンに関連付けられた主コントロールおよび代替コントロールを前記所定の色で照明して、前記照明された複数の入力コントロールを前記アイコンとマッチさせるステップとを有することを特徴とする方法。
【請求項２】
前記照明された複数の入力コントロールに照明効果を適用して、必須ユーザ入力が必要であることを通知するステップをさらに有することを特徴とする請求項１記載の方法。
【請求項３】
前記ディスプレイ(40)上の前記アイコンを点滅させて、必須ユーザ入力が必要であることを通知するステップをさらに有することを特徴とする請求項１記載の方法。
【請求項４】
前記ディスプレイ(40)上の前記アイコンの外観を変更して、必須ユーザ入力が必要であることを通知するステップをさらに有することを特徴とする請求項１記載の方法。
【請求項５】
２つ又はそれより多いアイコンを異なる色で表示するステップと、２つ又はそれより多い入力コントロールを個別の色で照明して、当該入力コントロールを対応するアイコンとマッチさせるステップとをさらに有することを特徴とする請求項１記載の方法。
【請求項６】
電子機器(10)であって、
ディスプレイ(40)と、
ユーザ入力の受信に応答して機能を実行するように構成された、照明された主入力コントロールおよび照明された代替入力コントロールと、
前記ディスプレイ(40)上のアイコン表示を制御するとともに、色分けされたアイコンを前記ディスプレイ(40)に表示して、前記色分けされたアイコンと、対応する複数の照明された入力コントロールとを関連付けるように構成されたプロセッサ(12)とを有し、
アイコンに関連付けされた前記主入力コントロールと前記代替コントロールの両方が同一色で照明されることを特徴とする電子機器(10)。
【請求項７】
前記プロセッサ(12)が、必須ユーザ入力が要求されていることを通知するため、１つ又はそれより多い照明された入力コントロールに照明効果を適用するように構成されることを特徴とする請求項６記載の電子機器(10)。
【請求項８】
前記プロセッサ(12)が、必須ユーザ入力が要求されていることを通知するため、前記ディスプレイ(40)上のアイコンを点滅させるように構成されることを特徴とする請求項６記載の電子機器(10)。
【請求項９】
前記プロセッサ(12)が、必須ユーザ入力が要求されていることを通知するため、前記ディスプレイ(40)上のアイコンの外観を変更するように構成されることを特徴とする請求項６記載の電子機器(10)。
【請求項１０】
前記プロセッサ(12)が、２つ又はそれより多いアイコンを異なる色で表示するとともに、２つ又はそれより多い入力コントロールを個別の色で照明して、当該入力コントロールを対応するアイコンとマッチさせるように構成されることを特徴とする請求項６記載の電子機器(10)。
【手続補正２】
【補正対象書類名】明細書
【補正対象項目名】０００５
【補正方法】変更
【補正の内容】
【０００５】
ポータブル電子機器は、個々のコントロールとアイコンとの制御対応を識別させるため、オンスクリーンアイコンと対応する入力コントロールとを色合わせ(color-match)するように構成される。例えば、１つ又は複数の実施形態において、様々なアイコンが様々な所定の色で表示又は強調表示(highlight)され、どのコントロールがどのアイコンと対をなすかを示すため、対応する複数のコントロールに対してマッチした照明(matching illumination)が用いられる。特定のコントロールとオンスクリーン情報との間の関係をさらに強調するため、点滅させる(flashing)、脈動させる(pulsing)、暗くする(dimming)など、他の照明効果を用いてもよい。例えば、必須のユーザ入力を示すため、１つ又は複数のコントロール用の照明を点滅させてもよい。必須入力などを示すために、さらに、又は代わりに、アイコンを点滅させたり別の方法で操って(manipulate)してもよい。
本発明の例示的な実施形態は、ポータブル電子機器(10)においてユーザに入力を促すために実施される方法を含む。１つの例示的な方法は、アイコンを所定の色でディスプレイ(40)に表示するステップと、アイコンに関連付けられた主コントロールおよび代替コントロールを所定の色で照明して、照明された複数の入力コントロールをアイコンとマッチさせるステップとを有する。
この例示的な方法は、照明された複数の入力コントロールに照明効果を適用して、必須ユーザ入力が必要であることを通知するステップをさらに有してもよい。
一つの例示的な方法において、照明された複数の入力コントロールに照明効果を適用するステップが、照明された複数の入力コントロールを断続的に点滅させるステップを含む。
一つの例示的な方法において、照明された複数の入力コントロールに照明効果を適用するステップが、照明の特性を変化させるステップを含む。
一つの例示的な方法において、照明の特性を変化させるステップが、照明の色および強度の少なくとも１つを変化させるステップを含む。
この例示的な方法は、入力を受け付ける状態にない、あるいは関係のない複数の入力コントロールの照明を消灯するステップをさらに有してもよい。
この例示的な方法は、ディスプレイ(40)上のアイコンを点滅させて、必須ユーザ入力が必要であることを通知するステップをさらに有してもよい。
この例示的な方法は、ディスプレイ(40)上のアイコンの外観を変更して、必須ユーザ入力が必要であることを通知するステップをさらに有してもよい。
この例示的な方法は、ユーザによる構成の選択に応じて所定の色を設定するステップをさらに有してもよい。
一つの例示的な方法において、照明された複数の入力コントロールの少なくとも１つが、キー、ボタン、ジョイスティック、ダイヤル、サムホイールおよびタッチパッドの１つを有する。
この例示的な方法において、２つ又はそれより多いアイコンを異なる色で表示するステップと、２つ又はそれより多い入力コントロールを個別の色で照明して、当該入力コントロールを対応するアイコンとマッチさせるステップとをさらに有してもよい。
本発明の実施形態はまた、電子機器であって、ディスプレイと、ユーザ入力の受信に応答して機能を実行するように構成された、照明された主入力コントロールおよび照明された代替入力コントロールと、ディスプレイ上のアイコン表示を制御するとともに、色分けされたアイコンをディスプレイに表示して、色分けされたアイコンと、対応する複数の照明された入力コントロールとを関連付けるように構成されたプロセッサとを有し、アイコンに関連付けされた主入力コントロールと代替コントロールの両方が同一色で照明される電子機器を含む。
一つの例示的な電子機器において、プロセッサが、必須ユーザ入力が要求されていることを通知するため、１つ又はそれより多い照明された入力コントロールに照明効果を適用するように構成される。
一つの例示的な電子機器において、プロセッサが、必須ユーザ入力が要求されていることを通知するため、複数の照明された入力コントロールを断続的に点滅させるように構成される。
一つの例示的な電子機器において、プロセッサが、必須ユーザ入力が要求されていることを通知するため、１つ又はそれより多い照明された入力コントロールに対する照明の特性を変化させるように構成される。
一つの例示的な電子機器において、プロセッサが、必須ユーザ入力が要求されていることを通知するため、１つ又はそれより多い照明された入力コントロールに対する照明の色および強度の少なくとも１つを変化させる。
一つの例示的な電子機器において、プロセッサが、入力を受け付ける状態にない、あるいは関係のない複数の入力コントロールの照明を消灯するように構成される。
一つの例示的な電子機器において、プロセッサが、必須ユーザ入力が要求されていることを通知するため、ディスプレイ(40)上のアイコンを点滅させるように構成される。
一つの例示的な電子機器において、プロセッサが、必須ユーザ入力が要求されていることを通知するため、ディスプレイ上のアイコンの外観を変更するように構成される。
一つの例示的な電子機器において、プロセッサが、ユーザが選択した色でアイコンを表示するように構成される。
一つの例示的な電子機器において、複数の入力コントロールの少なくとも１つが、キー、ボタン、ジョイスティック、ダイヤル、サムホイールおよびタッチパッドの１つを有する。
一つの例示的な電子機器において、プロセッサが、２つ又はそれより多いアイコンを異なる色で表示するとともに、２つ又はそれより多い入力コントロールを個別の色で照明して、当該入力コントロールを対応するアイコンとマッチさせるように構成される。
【国際調査報告】
2009527846.tif 000009
2009527846.tif 000010
2009527846.tif 000011